(57)【要約】【課題】立設体の着脱が容易な支持構造を低コストで提供する。【解決手段】物品が載置される載置部２０を有する基板２の上面２１に対して立設体Ｈを立設状態に支持可能な立設体の支持構造であって、所定の幅で直線状に延びる一条の開口１１と、開口１１に沿って残存部２２，２３，Ｒ１を残して間歇的に形成され開口１１の幅方向へ延びる複数の切欠き凹部２２，２３，…と、を備える溝１０を有する。【選択図】図１
2020022583.tif 000002
【特許請求の範囲】
【請求項１】
物品が載置される載置部を有する基板の上面に対して立設体を立設状態に支持可能な立設体の支持構造であって、
所定の幅で直線状に延びる一条の開口と、該開口に沿って残存部を残して間歇的に形成され当該開口の幅方向へ延びる複数の切欠き凹部と、を備える溝を有することを特徴とする立設体の支持構造。
【請求項２】
複数の前記切欠き凹部は、前記開口を挟んで形成されていることを特徴とする請求項１に記載の立設体の支持構造。
【請求項３】
少なくとも一つの前記残存部は、庇状に形成されていることを特徴とする請求項１または２に記載の立設体の支持構造。
【請求項４】
少なくとも一つの庇状に形成された前記残存部の下方には、貫通孔が形成されていることを特徴とする請求項３に記載の立設体の支持構造。
【請求項５】
前記残存部および前記切欠き凹部の少なくとも一部は、前記開口を挟んで互いに対向配置されていることを特徴とする請求項１ないし４のいずれかに記載の立設体の支持構造。
【請求項６】
前記基板は、樹脂の一体成型品であることを特徴とする請求項１ないし５のいずれかに記載の立設体の支持構造。
【発明の詳細な説明】
【技術分野】
【０００１】
本発明は、スーパーマーケット、コンビニエンスストア、デパート等の売場において、商品陳列什器や商品陳列用台車等に使用される、立設体の支持構造に関する。
【背景技術】
【０００２】
従来、例えば、スーパーマーケット、コンビニエンスストア、デパート等の売場において、商品陳列什器の棚板や台車の天板のように商品（物品）が載置・陳列される載置部を備える基板が知られている。このような基板には、プライスカードを掲示するためのプライスホルダ（立設体）を支持するための支持構造を備えたものもある。
【０００３】
例えば、特許文献１の商品陳列什器の棚板（基板）は、板状の載置部材の前端部に、鋼板からなり側面視Ｃ字状に折り曲げ加工された支持部材が固定されることで形成されており、載置部材と支持部材との間には、直線状の溝（支持構造）が形成され、この溝にプライスホルダを立設状態に支持可能となっている。溝は、幅がプライスホルダの板厚と略同一に形成されており、鋼板から形成された支持部材は、プライスカードを溝に装着する際に、支持部材の自由端側が載置部材の前端部から離れるように僅かに弾性変形するため、溝へのプライスホルダの着脱が容易である。
【先行技術文献】
【特許文献】
【０００４】
【特許文献１】特開２０１４−１７１５７５号公報（第５頁、第６図）
【発明の概要】
【発明が解決しようとする課題】
【０００５】
このような、特許文献１の商品陳列什器の棚板が備える溝は、載置部材と支持部材とを個別に用意し、載置部材に支持部材を固定して構成されているため、製造コストが嵩んでしまうという問題があった。
【０００６】
本発明は、このような問題点に着目してなされたもので、立設体の着脱が容易な支持構造を低コストで提供することを目的とする。
【課題を解決するための手段】
【０００７】
前記課題を解決するために、本発明の立設体の支持構造は、
物品が載置される載置部を有する基板の上面に対して立設体を立設状態に支持可能な立設体の支持構造であって、
所定の幅で直線状に延びる一条の開口と、該開口に沿って残存部を残して間歇的に形成され当該開口の幅方向へ延びる複数の切欠き凹部と、を備える溝を有することを特徴としている。
この特徴によれば、溝は所定の幅で直線状に延びる一条の開口と、開口から幅方向に延びる切欠き凹部とからなる簡単な構成でありながら、溝への立設体の着脱が容易な立設体の支持構造を、低コストで提供することができる。
【０００８】
複数の前記切欠き凹部は、前記開口を挟んで形成されていることを特徴としている。
この特徴によれば、開口を境に、立設体に接触する残存部を立設体の前後にバランスよく配置することができる。
【０００９】
少なくとも一つの前記残存部は、庇状に形成されていることを特徴としている。
この特徴によれば、残存部と立設体との接触する部分が狭いため、立設体の着脱がより容易である。
【００１０】
少なくとも一つの庇状に形成された前記残存部の下方には、貫通孔が形成されていることを特徴としている。
この特徴によれば、溝内の粉塵を貫通孔から除去できるとともに、貫通孔が庇状に突出した残存部によって視認されにくいことから、美観性がよい。
【００１１】
前記残存部および前記切欠き凹部の少なくとも一部は、前記開口を挟んで互いに対向配置されていることを特徴としている。
この特徴によれば、長手方向へバランスよく立設体を保持できるため、立設体の支持が安定する。
【００１２】
前記基板は、樹脂の一体成型品であることを特徴としている。
この特徴によれば、溝が一体に形成された基板を低コストで製造することが容易である。
【図面の簡単な説明】
【００１３】
【図１】本発明の実施例１における立設体の支持構造を備える台車を示す斜視図である。
【図２】（ａ）は、立設体の支持構造の一部を示す上面図であり、（ｂ）は、立設体の支持構造の一部を部分的に切欠いて示す正面図である。
【図３】立設体の支持構造の一部を拡大して示す上面図である。
【図４】（ａ）は、図３におけるＡ−Ａ矢視図であり、（ｂ）は、図３におけるＢ−Ｂ矢視図であり、（ｃ）は、図３におけるＣ−Ｃ矢視図である。
【図５】プライスホルダが挿嵌された立設体の支持構造を示す側面図である。
【図６】本発明の実施例２における立設体の支持構造を備える商品陳列什器を示す斜視図である。
【図７】本発明の実施例３における立設体の支持構造の一部を示す上面図である。
【図８】本発明の実施例４における立設体の支持構造の一部を示す上面図である。
【発明を実施するための形態】
【００１４】
本発明に係る立設体の支持構造を実施するための形態を実施例に基づいて以下に説明する。
【実施例１】
【００１５】
実施例１に係る立設体の支持構造につき、図１から図５を参照して説明する。以下、図１の紙面右下側を立設体の支持構造の正面側（前方側）とし、その前方側から見たときの上下左右前後方向を基準として説明する。
【００１６】
図１に示されるように、台車１は、載置板２（基板）の下端部に複数のキャスタ３，３，…を取付けることで構成されており、主にスーパーマーケット、コンビニエンスストア等の店舗内において、例えばお米や梱包された飲料水といった商品（図示略）を本体部２０（載置部）上に積み重ねて運搬して使用されるとともに、本体部２０上に商品が積み重ねられた状態のまま売場に並べて陳列台として使用されるものである。また、本体部２０には横溝１０（立設体の支持構造）が形成されており、プライスカードの掲示に用いられるプライスホルダＨ（立設体）が支持される。
【００１７】
載置板２は、ポリプロピレンの射出成形により一体形成されており、横溝１０が形成され商品が載置される板状の本体部２０、本体部２０の前端から前方へ傾斜して突出するテーパ部２６、本体部２０の前端部の裏面から略垂直下方へ突出して当該本体部２０の左右方向に亘って形成された垂下部２７から主に構成されている。また、直接の図示は省略するが、載置板２は、本体部２０の裏面側が主にリブ構造となっており、リブ構造の一部が下方へ突出して形成されキャスタ３を支持可能な支持突起を複数備えている。
【００１８】
尚、載置板２は、硬質樹脂であるポリカーボネート、ＡＢＳ樹脂等で形成されていてもよく、軟質樹脂で形成されていてもよく、他にも木材や金属で形成されていてもよく、ポリプロピレンに限定されるものではない。また、載置板２の製造については、複数の部材から形成されていてもよく、削り出し加工により形成されていてもよく、射出成形による一体形成に限定されるものではない。
【００１９】
図１に示されるように、テーパ部２６は、上側の前端部から下方へ鉤状に突出した上鉤部、下方側の前端部から上方へ鉤状に突出した下鉤部を備え、上鉤部と下鉤部とにプライスカードや台車１を管理するためのナンバープレートを掛止することで掲示可能となっている。
【００２０】
垂下部２７は、前端側に取り付けられたキャスタ３の位置よりも前方に形成されており、キャスタ３の目隠しとして機能するとともに、前端側に取り付けられたキャスタ３に人の足や物等がぶつかることを防止している。
【００２１】
図１，図２に示されるように、本体部２０には、平面状に形成された上面２１の前端部に当該上面２１から下方（本体部２０の板厚方向）へ凹む横溝１０がテーパ部２６と略平行に形成されている。横溝１０は、本体部２０の左右方向に延び上面２１から略垂直下方へ延びる前方側の前方壁面Ｆおよび後方側の後方壁面Ｒ、それぞれの下端部と略直交して前方壁面Ｆおよび後方壁面Ｒと連結された底部Ｕ、左または右側端部にて前方壁面Ｆ、後方壁面Ｒおよび底部Ｕと連結された左側壁面および右側壁面によって主に画成されている。尚、説明の都合上、図２（ａ），（ｂ）ではテーパ部２６を簡略化して図示しており、図２（ｂ）では紙面右側を破断して図示している。また、テーパ部２６の図示の簡略化については、図３，図４ついても同様である。
【００２２】
図３に示されるように、横溝１０を構成する前方壁面Ｆは、後述する開口１１を画成する前方凸壁面Ｆ１、後述する前方切欠き凹部１２および貫通孔１５を画成する前方凹壁面Ｆ２から構成されている。
【００２３】
また、横溝１０の前方壁面Ｆ側には、前方凹壁面Ｆ２よりも後方壁面Ｒ側へ突出する前方凸部２２（残存部）が左右方向へ所定間隔置きに複数形成されている。前方凸部２２は、上面視略台形の庇状に形成されており、前方凸部２２の上面は、図３，図４に示されるように、上面２１の一部であり当該上面２１と略同一平面を成している。
【００２４】
前方凸部２２について詳しくは、図３に示されるように、上面視において、左側の底部Ｕと略直交して直線状に右側へ延びる前方凹壁面Ｆ２（図４（ｃ）参照）から右方へ略４５度傾斜して後方へ直線状に延びる左傾斜部、左傾斜部から前方凹壁面Ｆ２と略平行に右方へ直線状に延びる前方凸壁面Ｆ１を有する平行部２２ａ、平行部２２ａから右方へ略４５度傾斜して直線状に延び、右側の底部Ｕと略直交して直線状に左側へ延びた前方凹壁面Ｆ２と連続する右傾斜部を備えている。図４を参照して、左傾斜部、平行部２２ａ、右傾斜部は、上面２１から略垂直下方へ延びて、さらに各垂直下方の端部から略垂直前方へ延びて前方凹壁面Ｆ２と連続した片持ち板状となっている。尚、左傾斜部および右傾斜部は、前方壁面Ｆや平行部２２ａに対する傾斜角度が略３０度や略６０度であってもよく、略４５度に限定されるものではない。
【００２５】
また、横溝１０を構成する後方壁面Ｒは、後述する開口１１を画成する後方凸壁面Ｒ１、後述する後方切欠き凹部１３および貫通孔１５を画成する後方凹壁面Ｒ２から構成されている。
【００２６】
後方凹壁面Ｒ２について詳しくは、図３に示されるように、上面視において、左側の底部Ｕと略直交する後方凸壁面Ｒ１（図４（ｃ）参照）から右方へ略４５度傾斜して後方へ直線状に延びる左傾斜面、左傾斜面から後方凸壁面Ｒ１と略平行に右方へ直線状に延びる後方凹壁面Ｒ２の一部である平行面２３ａ、平行面２３ａから右方へ略４５度傾斜して直線状に延び、右側の底部Ｕと略直交する後方凸壁面Ｒ１と連続する右傾斜面を備えている。尚、左傾斜面および右傾斜面は、後方凸壁面Ｒ１に対する傾斜角度が略３０度や略６０度であってもよく、略４５度に限定されるものではない。
【００２７】
また、横溝１０の後方壁面Ｒ側には、後方凹壁面Ｒ２の平行面２３ａよりも前方壁面Ｆ側へ突出する後方凸部２３（残存部）が、一つの後方凹壁面Ｒ２の平行面２３ａに対して左右方向へ二つ形成されている。後方凸部２３は、上面視略長方形の庇状に形成されており、後方凸部２３の上面は、図３，図４に示されるように、上面２１の一部であり当該上面２１と略同一平面を成している。
【００２８】
後方凸部２３について詳しくは、図３に示されるように、後方凹壁面Ｒ２の平行面２３ａから略垂直前方に片持ち状に延出しており、略直方体の板状である板部と一体に当該板部の下方に形成された傾斜リブから構成されており、板部の前方壁面Ｆと対向する後方凸壁面Ｒ１を有し、該後方凸壁面Ｒ１は、底部Ｕと略直交する後方凸壁面Ｒ１と略同一平面を成している（図２（ａ），図３参照）。また、後方凸部２３は、傾斜リブが板部の左右方向中央部前端から後方凹壁面Ｒ２の平行面２３ａへ略４５度傾斜して下方へ延びる側面視略直角三角形の板状に形成されており（図２（ｂ），図４参照）、正面視Ｔ字状に形成されている。後方凸部２３の板部の板厚（上下方向の寸法）は、前方凸部２２の板厚よりも薄く形成されている。
【００２９】
また、図３，図４に示されるように、前方凸部２２と後方凹壁面Ｒ２とは、対向配置されており、後方凸部２３は、前方凸部２２の平行部２２ａと略平行かつ当該平行部２２ａの左端部または右端部に対向配置されている。
【００３０】
図２〜図４に示されるように、対向する後方凸壁面Ｒ１と前方凹壁面Ｆ２とに略直交する底部Ｕは、上面視矩形状（図２参照）、かつ、上面２１と略平行に形成されている（図４（ｃ）参照）。また、底部Ｕは、貫通孔１５によって左右に分断され、左右方向へ複数配置されている（図２，図３参照）。
【００３１】
図２〜図４に示されるように、貫通孔１５は、前方凸部２２の下方に位置する前方凹壁面Ｆ２と後方凹壁面Ｒ２との間に形成され、前方凹壁面Ｆ２、後方凹壁面Ｒ２、および左右の底部Ｕ，Ｕにより画成された空間であり、本体部２０の裏側へ貫通している（図４（ａ），（ｂ）参照）。
【００３２】
次に、横溝１０について詳しく説明する。図３に示されるように、横溝１０は、互いに対向する前方凸壁面Ｆ１と後方凸壁面Ｒ１との間の幅（所定の幅）で直線状に延びる一条の開口１１、該開口１１に沿って前方凸部２２、後方凸部２３または後方凸壁面Ｒ１を残して間歇的に形成され当該開口１１の幅方向へ延びる複数の切欠き凹部１２，１３，…を備えている。尚、前方切欠き凹部１２は、開口１１から前方側へ切欠き状に凹む開口１１と前方壁面Ｆとの間の空間であり、後方切欠き凹部１３は、開口１１から後方側へ切欠き状に凹む開口１１と後方凹壁面Ｒ２との間の空間である。また、切欠き凹部１２，１３は、切欠き状に形成されていればよく、実際に切欠くことで形成されていなくともよい。さらに尚、説明の便宜上、図３では、開口１１と切欠き凹部１２，１３とを、それぞれ異なるドット柄で図示している。
【００３３】
また、開口１１の幅は、プライスホルダＨ（図５参照）の板厚と略同一の一定幅となっている。尚、開口１１の幅については、装着されるプライスホルダＨの板厚に応じて適宜変更してもよい。
【００３４】
次に、図２，図５を参照して、横溝１０へのプライスホルダＨの装着について説明する。図５を参照して、プライスホルダＨは、透明度の高い軟質な樹脂で形成されており、薄板状の立設板と、立設板の上端部と連結されプライスカードを挟持可能に折返し形成された表示部とを備えている。また、立設板の下端部が横溝１０に差し込まれる差込部となっている。
【００３５】
図２を参照して、プライスホルダＨを横溝１０に装着する際には、プライスホルダＨの差込部の左角部から順に開口１１へ差し込むことで、横溝１０に装着することができる。同様に、プライスホルダＨの差込部の右角部から順に差し込んでもよく、該差込部を開口１１に対して略平行に差し込んでもよい。尚、プライスホルダＨを開口１１へ差し込む際に、プライスホルダＨの差込部の一部が前方切欠き凹部１２に入り込んでも、前方凸部２２の左傾斜部や右傾斜部によって開口１１側へ案内されるため、開口１１への差し込みが容易である。
【００３６】
また、横溝１０は、プライスホルダＨと接触する部分が、各切欠き凹部１２，１３，…によって、後方凸壁面Ｒ１、前方凸部２２および後方凸部２３に狭められていることから、プライスホルダＨの着脱の際に接触する領域が狭く、大きな摩擦力が発生しにくくなっているため、簡単な構成でありながら、プライスホルダＨの着脱が容易である。
【００３７】
また、前方凸部２２と後方凸部２３の板部は、庇状に形成されていることから、後方凸壁面Ｒ１と比較して、プライスホルダＨとの接触する部分が狭いため、プライスホルダＨの着脱がより容易である。
【００３８】
また、一条の開口１１は、略同一幅で略直線状に延びていることから、プライスホルダＨの差込部が前後方向へ蛇行するように弾性変形することが防止されているため、プライスホルダＨの差込部自身に弾性復帰力が発生しにくくなっており、横溝１０からの着脱が容易である。
【００３９】
図５に示されるように、プライスホルダＨが横溝１０に装着された状態について詳しくは、プライスホルダＨの差込部は、互いに対向する前方凸部２２および後方凸部２３に挟持され、後方凸壁面Ｒ１に沿って面当接して底部Ｕ上に載置されていることから、前方側または後方側へ傾くことを防止されている。これにより、プライスホルダＨの立設板は、本体部２０の上面２１に対して略垂直方向へ立設・支持される。
【００４０】
また、図２（ａ）に示されるように、横溝１０は、開口１１を境に、切欠き凹部１２，１３，…が左右方向へ互い違いに配置されているとともに、前方凸部２２と後方切欠き凹部１３とが互いに対向して配置されていることから、左右方向へバランスよくプライスホルダＨを保持できるため、プライスホルダＨの支持が安定する。
【００４１】
また、図５に戻って、プライスホルダＨを横溝１０に装着した状態において、貫通孔１５の前方切欠き凹部１２側と後方切欠き凹部１３側は、本体部２０の下方へと貫通していることから、プライスホルダＨを装着したまま、貫通孔１５を通じて粉塵を排出することができる。また、貫通孔１５の上方には、前方凸部２２および後方凸部２３，２３が形成されていることから、貫通孔１５が視認されにくいため、美観性がよい。
【００４２】
また、横溝１０は、テーパ部２６の上端部から後方へ離間して形成されているため、プライスホルダＨを横溝１０に差し込んだ際に、表示部がテーパ部２６の上端部に当接することによってプライスホルダＨは拡開される。これにより、プライスホルダＨの表示部が上方側に向けて傾斜して配置されることから、床上に設置される台車１であっても、立った状態のまま視線を下げるだけでプライスホルダＨの表示部を視認することができる。尚、プライスホルダＨには、プライスカードばかりでなく、ＰＯＰ（Ｐｏｉｎｔ  ｏｆ  ｐｕｒｃｈａｓｅ）広告、商品の説明書き等が掲示されていてもよく、限定されるものではない。
【００４３】
また、横溝１０は、載置板２が硬質の樹脂の一体成型品であることから、横溝１０が一体に形成された本体部２０を低コストで製造することが容易である。すなわち、プライスホルダＨの着脱が容易な横溝１０を、低コストで提供することができる。
【００４４】
また、横溝１０は、本体部２０の上面２１から凹むように形成されていることから、プライスホルダＨの装着前において、横溝１０を跨いで本体部２０上に商品を載置できるため、台車１は、横溝１０が形成されていない本体部を備える台車と同様に物品を運搬することができる。
【００４５】
尚、横溝１０は、プライスホルダＨの支持部を本体部２０の上面２１に対して略垂直方向へ立設・支持可能である態様として説明したが、これに限らず、プライスホルダＨの支持部を傾けた状態で立設・支持可能である態様であってもよく、限定されるものではない。
【実施例２】
【００４６】
次に、実施例２に係る立設体の支持構造につき、図６を参照して説明する。尚、前記実施例に示される構成部分と同一構成部分については同一符号を付して重複する説明を省略する。
【００４７】
実施例２における立設体の支持構造について説明する。図６に示されるように、本実施例において、立設体の支持構造である横溝１０および後述する縦溝１１０は、商品陳列什器１０１の棚板１２０（基板，支持部）に形成されている。商品陳列什器１０１は、左右一対の支柱１０４，１０４に取付けられたブラケット１０５，１０５（右側については図示略）を介して棚板１２０が支持されることによって形成されている。
【００４８】
棚板１２０は、左右方向中央部にて横溝１０に対して略直交する方向へ直線状に延びる縦溝１１０を備えており、縦溝１１０は、横溝１０を短く切った形状である。
【００４９】
棚板１２０の横溝１０には、前記実施例１と同様にプライスホルダＨが装着され、縦溝１１０には、縦溝１１０の前後方向の寸法と略同一に形成され棚板１２０の上面１２１を左右に区画するためのパーテーションＰ（立設体）が装着されている。
【００５０】
尚、棚板１２０には、プライスホルダＨを着脱するための横溝１０だけが形成されていてもよく、前端部に形成された横溝１０に横溝１０の左右寸法と略同一寸法に形成されたパーテーションを着脱してもよく、限定されるものではない。また、横溝１０や縦溝１１０は複数形成されていてもよい。
【実施例３】
【００５１】
次に、実施例３に係る立設体の支持構造につき、図７を参照して説明する。尚、前記実施例に示される構成部分と同一構成部分については同一符号を付して重複する説明を省略する。
【００５２】
実施例３における立設体の支持構造について説明する。図７に示されるように、本実施例において、横溝２１０は、基板２２０（載置部）の上面２２１から基板２２０の厚み方向へ凹むように形成されており、前方壁面Ｆ１０、後方壁面Ｒ１０および底部Ｕ１０によって画成されている。
【００５３】
前方壁面Ｆ１０は、開口２１１および貫通孔２１５を画成する前方凸壁面Ｆ１１（残存部）、前方凸壁面Ｆ１１から前方側へ上面視台形状に凹んで前方切欠き凹部２１２を画成する前方凹壁面Ｆ１２を備えている。
【００５４】
後方壁面Ｒ１０は、前方凹壁面Ｆ１２と対向して開口２１１を画成する後方凸壁面Ｒ１１（残存部）、前方凸壁面Ｆ１１と対向し後方凸壁面Ｒ１１から後方側へ上面視台形状に凹んで後方切欠き凹部２１３を画成する後方凹壁面Ｒ１２を備えている。
【００５５】
また、対向する前方凸壁面Ｆ１１と後方凹壁面Ｒ１２との間には、上面視矩形状の貫通孔２１５が形成されており、貫通孔２１５は、横溝２１０の左右方向へ所定間隔置きに配置されている。さらに、前方壁面Ｆ１０および後方壁面Ｒ１０は、貫通孔２１５以外の部分がそれぞれ底部Ｕ１０と略直交して連続している。
【００５６】
横溝２１０は、前方凸壁面Ｆ１１と後方凸壁面Ｒ１１との間の幅（所定の幅）で直線状に延びる一条の開口２１１、該開口２１１に沿って前方凸壁面Ｆ１１または後方凸壁面Ｒ１１を残して間歇的に形成され当該開口２１１の幅方向へ延びる複数の切欠き凹部２１２，２１３，…を備えている。
【実施例４】
【００５７】
次に、実施例４に係る立設体の支持構造につき、図８を参照して説明する。尚、前記実施例に示される構成部分と同一構成部分については同一符号を付して重複する説明を省略する。
【００５８】
実施例４における立設体の支持構造について説明する。図８に示されるように、本実施例において、横溝３１０は、基板３２０（載置部）の上面３２１から基板３２０の厚み方向へ凹むように形成されており、前方壁面Ｆ、後方壁面Ｒ２０および底部Ｕ２０によって画成されている。
【００５９】
前方壁面Ｆは、開口３１１を画成する前方凸壁面Ｆ１、前方切欠き凹部３１２および貫通孔３１５を画成する前方凹壁面Ｆ２を備えている。
【００６０】
後方壁面Ｒ２０は、開口３１１および貫通孔３１５を画成する後方凸壁面Ｒ２１（残存部）、後方凸壁面Ｒ２１から後方側へ上面視台形状に凹んで後方切欠き凹部３１３を画成する後方凹壁面Ｒ２２を備えている。
【００６１】
前方凸部２２は、後方凸壁面Ｒ２１の左右方向中央部と開口３１１を挟んで対向配置されており、後方凹壁面Ｒ２２は、左右方向に隣り合う一対の前方凸部２２，２２（一方の前方凸部２２については図示略）の間の左右方向中央部と開口３１１を挟んで対向配置されている。換言すれば、前方凸部２２と後方凹壁面Ｒ２２は、開口３１１に沿って略等間隔置きに互い違いに配置されている。
【００６２】
また、前方凸部２２の下方に位置する前方凹壁面Ｆ２と後方凸壁面Ｒ２１との間には、貫通孔３１５が形成されている。さらに、前方凹壁面Ｆ２および後方壁面Ｒ２０は、貫通孔３１５以外の部分がそれぞれ底部Ｕ２０と略直交して連続している。
【００６３】
横溝３１０は、前方凸壁面Ｆ１と後方凸壁面Ｒ２１との間の幅（所定の幅）で直線状に延びる一条の開口３１１、該開口３１１に沿って前方凸部２２または後方凸壁面Ｒ２１を残して間歇的に形成され当該開口３１１の幅方向へ延びる複数の切欠き凹部３１２，３１３，…を備えている。
【００６４】
以上、本発明の実施例を図面により説明してきたが、具体的な構成はこれら実施例に限られるものではなく、本発明の要旨を逸脱しない範囲における変更や追加があっても本発明に含まれる。
【００６５】
例えば、前記実施例では、基板として台車１の本体部２０、商品陳列什器１０１の棚板１２０を例に説明したが、これに限らず、テーブルの天板、載置台の天板であってもよく、限定されるものではない。関連して、前記実施例では、基板と載置部とを兼ねる本体部２０や棚板１２０を例に説明したが、これに限らず、例えば、中央部に商品が載置される載置部を有し、周部に物品の落下を防止する壁部を有する商品陳列台において、壁部の上端部に溝が形成されていてもよく、基板の載置部とは異なる位置に溝が形成されていてもよい。
【００６６】
立設体としてプライスホルダＨ、パーテーションＰを例に説明したが、これに限らず、溝に装着して立設可能であれば、演出用のパネル、ＰＯＰ広告、ケース等であってもよく、限定されるものではない。
【００６７】
前方壁面および後方壁面は、上面から略垂直下方へ延びる態様として説明したが、これに限らず、立設体を立設させて支持可能であれば、凸部よりも板厚を厚く形成された庇状やテーパ状に形成されていてもよい。
【００６８】
前方凸部２２は、上面視台形状である態様として説明したが、これに限らず、上面視半円状、矩形状、リブ状に形成されていてもよく、限定されるものではない。これは、後方凸部２３、各凸壁面、および凹壁面についても同様である。また、前方凸部２２は、板状に限らず、楔状や半球状等に形成されていてもよく、後方凸部２３についても同様である。
【００６９】
横溝や縦溝の底部は、上面と略平行である態様として説明したが、これに限らず、貫通孔へ下降するように傾斜していてもよい。この態様であれば、底部に沿って粉塵や水滴を貫通孔へ案内することができるため、溝内の汚れを除去し易い。
【符号の説明】
【００７０】
１                        台車
２                        載置板（基板）
１０                      横溝
１１                      開口
１２                      前方切欠き凹部
１３                      後方切欠き凹部
１５                      貫通孔
２０                      本体部（載置部）
２１                      上面
２２                      前方凸部（残存部）
２３                      後方凸部（残存部）
１０１                    商品陳列什器
１１０                    縦溝
１２０                    棚板（基板，載置部）
１２１                    上面
２１０                    横溝
２１１                    開口
２１２                    前方切欠き凹部
２１３                    後方切欠き凹部
２１５                    貫通孔
２２０                    基板（載置部）
２２１                    上面
３１０                    横溝
３１１                    開口
３１２                    前方切欠き凹部
３１３                    後方切欠き凹部
３１５                    貫通孔
３２０                    基板（載置部）
３２１                    上面
Ｆ１，Ｆ１１              前方凸壁面（残存部）
Ｈ                        プライスホルダ（立設体）
Ｐ                        パーテーション（立設体）
Ｒ１，Ｒ１１，Ｒ２１      後方凸壁面（残存部）
【図１】
2020022583.tif 000003
【図２】
2020022583.tif 000004
【図３】
2020022583.tif 000005
【図４】
2020022583.tif 000006
【図５】
2020022583.tif 000007
【図６】
2020022583.tif 000008
【図７】
2020022583.tif 000009
【図８】
2020022583.tif 000010